(57)【要約】      （修正有）【課題】弾発指を患っている患者を襲う就寝中における弾発指の痛みを抑え、弾発指を患っている指の安静を図ることのできる弾発指治療用具を提供する。【解決手段】弾発指治療用具６は、長手方向に伸びる板体を屈曲部４で、一方側の面から他方側の面の方向に向けて４０度を超えない範囲で屈曲させた屈曲角度制限板１と、屈曲角度制限板に取り付けられて、前記一方側の面が指の掌側面に対向し、屈曲部が指の関節部近傍に位置するように屈曲角度制限板を指に取り付ける装着具５とを備える。【選択図】図３
0003202888.tif 000002
【実用新案登録請求の範囲】
【請求項１】
長手方向に伸びる板体を前記長手方向に直交して伸びる屈曲部で、前記板体の一方側の面から前記板体の他方側の面の方向に向けて４０度を超えない範囲で屈曲させた屈曲角度制限板と、
前記屈曲角度制限板に取り付けられて、前記一方側の面が人間の指の掌側面に対向し、前記屈曲部が前記人間の指の関節部近傍に位置するように前記屈曲角度制限板を前記人間の指に取り付ける装着具と
を備えている弾発指治療用具。
【請求項２】
前記装着具は伸縮性を有する素材からなる請求項１記載の弾発指治療用具。
【請求項３】
前記装着具は前記人間の指に装着される筒状体である請求項１又は２記載の弾発指治療用具。
【請求項４】
前記屈曲角度制限板の他方側の面が前記筒状体の内周壁に取り付けられている請求項３記載の弾発指治療用具。
【請求項５】
前記板体の一方側の面から前記板体の他方側の面の方向に向けて屈曲される角度が３０度である請求項１〜４のいずれか一項記載の弾発指治療用具。
【請求項６】
前記屈曲部が位置する前記人間の指の関節部近傍が、弾発指を発症している近位指骨間関節の近傍である請求項１〜５のいずれか一項記載の弾発指治療用具。
【考案の詳細な説明】
【技術分野】
【０００１】
この考案は弾発指治療用具に関する。
【背景技術】
【０００２】
“弾発指”あるいは、“ばね指”とは、人間の手の指の中手指節間関節（ＭＰ関節）の手のひら側（掌側）で腱鞘が肥厚して狭小化して起こる症状である。腱鞘の中を通る腱の伸展運動が制限され、制限された以上に指関節を曲げようとすると引っかかるように指がはじける「ばね現象」が生じるのが弾発指の症状の特徴である。
【０００３】
手を使い過ぎる人や、スポーツをする人、指を良く使う仕事の人に発症することがある。また、糖尿病、リウマチを患っている人や、透析患者でも発症する人がいる。
【０００４】
弾発指を患っている患者は、寝起き時に“指が伸びない”、“指を伸ばすと激痛が走る”、などの寝起き時に独特の症状を訴える点に大きな特徴あがる。
【０００５】
このような弾発指に関して、手指の伸縮を予防すること、等を目的とした用具などについての提案が従来から行われている（特許文献１、２）。
【先行技術文献】
【特許文献】
【０００６】
【特許文献１】特許第３９６６８２８号公報
【特許文献２】実用新案登録第３１５５８６５号公報
【考案の概要】
【考案が解決しようとする課題】
【０００７】
弾発指を放置すると、指の動きが悪くなるだけでなく、痛みも強くなる。このため、睡眠不足に陥ったり、日常生活に支障をきたすこともある。
【０００８】
従来から、弾発指の基本的な治療は保存療法である。一時的に患部を固定するか、指を使わないように安静にしている。
【０００９】
これらの治療を行って痛みが引かない場合には、ステロイド注射を行い、それでも効果がないときには手術が検討される。
【００１０】
本願の出願人は整形外科医４０年の臨床経験から弾発指の９割は従来から行われている保存療法で、手術を行うことなしに治すことができると考えている。
【００１１】
保存療法において、特に、夜間や、就寝中における弾発指の痛みを抑え、弾発指を患っている指の安静を図ることのできる弾発指治療用具の開発は重要である。
【００１２】
そこで、この考案は、弾発指を患っている患者を襲う就寝中における弾発指の痛みを抑え、弾発指を患っている指の安静を図ることのできる弾発指治療用具を提供することを目的にしている。
【課題を解決するための手段】
【００１３】
［１］
長手方向に伸びる板体を前記長手方向に直交して伸びる屈曲部で、前記板体の一方側の面から前記板体の他方側の面の方向に向けて４０度を超えない範囲で屈曲させた屈曲角度制限板と、
前記屈曲角度制限板に取り付けられて、前記一方側の面が人間の指の掌側面に対向し、前記屈曲部が前記人間の指の関節部近傍に位置するように前記屈曲角度制限板を前記人間の指に取り付ける装着具と
を備えている弾発指治療用具。
【００１４】
［２］
前記装着具は伸縮性を有する素材からなる［１］の弾発指治療用具。
【００１５】
［３］
前記装着具は前記人間の指に装着される筒状体である［１］又は［２］の弾発指治療用具。
【００１６】
［４］
前記屈曲角度制限板の他方側の面が前記筒状体の内周壁に取り付けられている［３］の弾発指治療用具。
【００１７】
［５］
前記板体の一方側の面から前記板体の他方側の面の方向に向けて屈曲される角度が３０度である［１］〜［４］のいずれかの弾発指治療用具。
【００１８】
［６］
前記屈曲部が位置する前記人間の指の関節部近傍が、弾発指を発症している近位指骨間関節の近傍である［１］〜［５］のいずれかの弾発指治療用具。
【考案の効果】
【００１９】
この考案によれば、弾発指を患っている患者を襲う就寝中における弾発指の痛みを抑え、弾発指を患っている指の安静を図ることのできる弾発指治療用具を提供することができる。
【図面の簡単な説明】
【００２０】
【図１】本考案の弾発指治療用具に採用される屈曲角度制限板の一例を表す図であって、（ａ）は屈曲角度を説明する側面図、（ｂ）は斜視図。
【図２】（ａ）本考案の弾発指治療用具に採用される装着具の一例を表す斜視図、（ｂ）本考案の弾発指治療用具の一例を表す斜視図。
【図３】（ａ）本考案の弾発指治療用具が指に装着される状態の一例を説明する斜視図、（ｂ）本考案の弾発指治療用具が指に装着された状態の一例を説明する斜視図。
【考案を実施するための形態】
【００２１】
この実施形態の弾発指治療用具６（図２（ｂ））は、屈曲角度制限板１と、装着具５とを備えている。装着具５は、屈曲角度制限板１に取り付けられて、弾発指を患っている患者の弾発指が発症している指７に屈曲角度制限板１を取り付ける役割をはたすものである。
【００２２】
屈曲角度制限板１は、長手方向（図１の上下方向）に伸びる板体からなる。この長手方向に伸びる板体が、前記長手方向に直交して伸びる屈曲部４で、板体の一方側の面２から他方側の面３の方向に向けて屈曲角度θが４０度を超えない範囲で屈曲して屈曲角度制限板１が形成されている（図１（ａ））。
【００２３】
屈曲角度制限板１は前記のように屈曲している状態を維持できる剛性を有するものであれば種々の素材によって作製することができる。例えば、ポリプロピレン、等の合成樹脂製の板体にすることができる。
【００２４】
図２（ａ）に例示する装着具５は、屈曲角度制限板１に取り付けられて、屈曲角度制限板１の一方側の面２が人間の指７の掌側面１１に対向し、屈曲部４が人間の指の関節部近傍に位置するように屈曲角度制限板１を人間の指に取り付けるものである。
【００２５】
本願の出願人は、整形外科医４０年の臨床経験から指の近位指骨間関節（ＰＩＰ関節）９の手のひら側（掌側）に向かう屈曲角度と、中手指骨間関節（ＭＰ関節）８の手のひら側（掌側）に向かう屈曲角度との合計が１３０度以下であれば、ばね現象の発生を防ぐことができることを見出した。
【００２６】
中手指骨間関節（ＭＰ関節）８（図３（ａ））は、一般的に、手のひら側（掌側）に向かって９０度以上曲がることは無い。
【００２７】
そこで、一方側の面２と他方側の面３とを備えていて長手方向に伸びる板体が前記長手方向に直交して伸びる屈曲部４で、一方側の面２から他方側の面３の方向に向けて４０度を超えない範囲で屈曲している屈曲角度制限板１（図１）を、一方側の面２が人間の指の掌側面１１に対向し、屈曲部４が人間の指の関節部近傍に位置するようにして、弾発指を患っている患者の弾発指が発症している指７に取り付けることで、ばね現象の発生を防ぐことができる。
【００２８】
そして、このようにすることによって、弾発指を患っている患者を襲う就寝中における弾発指の痛みを抑え、弾発指を患っている指の安静を図ることができる。
【００２９】
更に、上述した実施形態の構成・構造からなる弾発指治療用具６を、図３（ｂ）に図示したように、上述した要領で弾発指を患っている患者の弾発指が発症している指７に取り付けておくことで弾発指の治療に効果を発揮させることができる。
【００３０】
装着具５は伸縮性を有する素材で作製しておくと指７への装着、取り外しが容易で、また使い心地もよいので有利である。
【００３１】
例えば、伸縮性を有する素材としてメッシュを用い、メッシュによって図２（ａ）図示のように筒状体からなる装着具５を準備し、屈曲角度制限板１の他方側の面３を筒状体からなる装着具５の内周壁５ａに取り付けた構造の弾発指治療用具６にすることができる（図２（ｂ））。
【実施例】
【００３２】
ポリプロピレン製の樹脂板を屈曲部４において、一方側の面２から他方側の面３の方向に向けて屈曲角度：θ＝３０度で屈曲させて、図１図示のような、屈曲角度制限板１を準備した。
【００３３】
メッシュによって図２（ａ）図示のように筒状体からなる装着具５を準備し、前記のように準備した屈曲角度θ＝３０度の屈曲角度制限板１の他方側の面３を筒状体からなる装着具５の内周壁５ａに取り付けて（図２（ｂ））、この実施例の弾発指治療用具６を準備した。
【００３４】
この弾発指治療用具６を、図３（ａ）に矢印１２で示しているように、弾発指を患っている患者の弾発指が発症している指７に装着し、屈曲角度制限板１の一方側の面２が指７の掌側面１１に対向し、屈曲部４が指７の近位指骨間関節（ＰＩＰ関節）９の近傍に位置するようにした（図３（ｂ））。
【００３５】
このようにしたところ、ばね現象が発生することを効果的に防止できた。
【００３６】
また、図３（ｂ）図示のように本考案の弾発指治療用具６を装着した患者は、仕事を通常のように行うことに支障がなく、日常生活に不便を感じることがなかった。
【００３７】
更に、弾発指治療用具６を未装着の状態では、夜間、就寝中に感じることが多かった痛みをほとんど感じることなくなり、弾発指の痛みを抑え、指７の安静を図ることが可能であった。
【００３８】
整形外科医である本願の出願人が、この実施例の弾発指治療用具６を、弾発指を患っている患者の弾発指が発症している指７に、図３（ｂ）に例示したように、取り付けて保存療法を行ったところ、弾発指の治療に効果が発揮されることを確認できた。
【００３９】
従来、手指の伸縮を予防すること、等を目的とした用具などについての提案や、サポータなどの提案は存在していた。しかし、指の近位指骨間関節（ＰＩＰ関節）９の手のひら側（掌側）に向かう屈曲角度と、中手指骨間関節（ＭＰ関節）８の手のひら側（掌側）に向かう屈曲角度との合計がばね現象の発生に関係していることに着目し、近位指骨間関節（ＰＩＰ関節）９の手のひら側（掌側）に向かう屈曲角度を制限する屈曲角度制限板１を用いた弾発指治療用具は存在していなかった。
【００４０】
上述した屈曲角度制限板１を用いた本考案の弾発指治療用具６は、整形外科医である本願の出願人が実際の治療に用いて確認できたように、弾発指の治療に十分な効果を発揮できるものである。
【００４１】
以上、この考案の好ましい実施形態、実施例を添付図面を参照して説明したが、本発明はかかる実施形態、実施例に限定されるものではなく、実用新案登録請求の範囲の記載から把握される技術的範囲において種々に変更可能である。
【符号の説明】
【００４２】
１    屈曲角度制限板
２    屈曲角度制限板の一方側の面
３    屈曲角度制限板の他方側の面
４    屈曲角度制限板の屈曲部
５    筒状体からなる装着具
５ａ  筒状体からなる装着具の内周壁
６    弾発指治療用具
７    弾発指が発症している指
８    指の中手指骨間関節（ＭＰ関節）
９    指の近位指骨間関節（ＰＩＰ関節）
１０  指の遠位指骨間関節（ＤＩＰ関節）
１１  指の手のひら側（掌側）の面
θ    屈曲角度
【図１】
0003202888.tif 000003
【図２】
0003202888.tif 000004
【図３】
0003202888.tif 000005